(57)【要約】【課題】  先端工具と被削材の接触面から刃具接線方向へ粉塵、火花が飛散してしまうことを防止し、周囲への粉塵、火花の飛散を防止する動力工具を提供することである。【解決手段】  モータと、モータからの駆動力により回転される先端工具７と、先端工具７を覆う保護フード２とを有する動力工具において、動力工具に先端工具７と被削材との接触により生じる飛散物を遮蔽する遮蔽部材（３、４、５、６）を設けた。  また、遮蔽部材（３、４、５、６）において動力工具と接続される一端は非弾性体で構成され、他端は弾性体で構成した。  また、遮蔽部材（３、４、５、６）は動力工具に着脱自在とした。  また、遮蔽部材（３、４、５、６）使用位置と収納位置を有する。  また、遮蔽部材（３、４、５、６）は飛散物の飛散方向に合わせて配設位置を変更可能とした。【選択図】図１
2009196010.tif 000002
【特許請求の範囲】
【請求項１】
モータと、
該モータからの駆動力により回転される先端工具と、
該先端工具を覆う保護フードとを有する動力工具において、
該動力工具に該先端工具と被削材との接触により生じる飛散物を遮蔽する遮蔽部材を設けたことを特徴とする動力工具。
【請求項２】
該遮蔽部材において該動力工具と接続される一端は非弾性体で構成され、他端は弾性体で構成されることを特徴とする請求項１記載の動力工具。
【請求項３】
該遮蔽部材は該動力工具に着脱自在であることを特徴とする請求項１記載の動力工具
【請求項４】
該遮蔽部材は使用位置と収納位置を有することを特徴とする請求項１記載の動力工具。
【請求項５】
該遮蔽部材は該飛散物の飛散方向に合わせて配設位置を変更可能であることを特徴とする請求項１記載の動力工具。
【発明の詳細な説明】
【技術分野】
【０００１】
本発明は、研削作業用の工具の中でも特に、円盤形刃具を回転させ、該刃具を被削材に押し当て研削作業を行う動力工具に関するものである。
【背景技術】
【０００２】
従来の動力工具はモータからの駆動力により回転される砥石等の先端工具と、先端工具の一部を覆う保護フードを有しており、保護フードから突出した先端工具を被削材に押し当て作業を行う。なお、保護フードは先端工具又は研削時の飛散物から人体を保護するためのものである。
【０００３】
【特許文献１】特開２００３−１３６４３８公報
【発明の開示】
【発明が解決しようとする課題】
【０００４】
上記した従来の動力工具では、研削時の粉塵、火花が作業者に向かって飛散するのを保護フードによって防ぐことはできるが、先端工具と被削材の接触面から刃具接線方向へ粉塵、火花が飛散してしまうという欠点があった。
【０００５】
本発明の目的は、上記従来の欠点を解消し、周囲への粉塵、火花の飛散を防止する動力工具を提供することである。
【課題を解決するための手段】
【０００６】
上記課題を解決するために本発明は、モータと、該モータからの駆動力により回転される先端工具と、該先端工具を覆う保護フードとを有する動力工具において、該動力工具に該先端工具と被削材との接触により生じる飛散物を遮蔽する遮蔽部材を設けたことを特徴とする。
【０００７】
また、該遮蔽部材において該動力工具と接続される一端は非弾性体で構成され、他端は弾性体で構成されることを特徴とする。
【０００８】
また、該遮蔽部材は該動力工具に着脱自在であることを特徴とする。
【０００９】
また、該遮蔽部材は使用位置と収納位置を有することを特徴とする。
【００１０】
また、該遮蔽部材は該飛散物の飛散方向に合わせて配設位置を変更可能であることを特徴とする。
【発明の効果】
【００１１】
請求項１記載の発明によれば、遮蔽部材によって、研削作業時に先端工具と被削材との接触により生じる粉塵、火花等の飛散を防止することができるため、作業性に優れた動力工具を提供することが可能となる。
【００１２】
請求項２記載の発明によれば、研削作業時に動力工具を傾斜させて使用するときにも、遮蔽部材が被削材に合わせて変形するため、確実に粉塵、火花の飛散防止効果を得ることができる。従って、作業性に優れた動力工具を提供することが可能となる。
【００１３】
請求項３記載の発明によれば、遮蔽部材が必要でない作業においては遮蔽部材を取付けずに作業することができるため、作業性に優れた動力工具を提供することができる。
【００１４】
請求項４記載の発明によれば、作業状況に応じて遮蔽部材を使用位置と収納位置に位置させて作業することができるため、作業性に優れた動力工具を提供することができる。
【００１５】
請求項５記載の発明によれば、粉塵、火花等の飛散方向に合わせて遮蔽部材の位置を変更させることができるため、効率よく粉塵、火花の飛散防止を行うことができる。従って、作業性に優れた動力工具を提供することができる。
【発明を実施するための最良の形態】
【００１６】
＜第１の実施形態＞
本発明の第１の実施形態に係る動力工具について図１、２を用いて説明する。なお、動力工具の一例としてディスクグラインダを用いて説明する。
【００１７】
図１は本実施形態に係る動力工具の上面図、図２はその正面図である。ディスクグラインダは動力工具本体１に収納される図示せぬモータからの駆動力により回転される砥石等の先端工具７と、先端工具７の一部を覆う保護フード２を有しており、保護フード２から突出した先端工具７を被削材に押し当て作業を行う。なお、保護フードは先端工具又は研削時の飛散物から人体を保護するためのものである。なお１ａには補助ハンドルが着脱自在となっている。
【００１８】
本実施形態において、飛散物の吸着性能及び形状の柔軟性から最良の形態の遮蔽部材としてワイヤブラシ３を使用した構成について説明する。以後遮蔽物はワイヤブラシとして扱うこととする。保護フード２の粉塵飛散側である被削材の接触面から刃具接線方向に、ワイヤブラシ３を配設する。ワイヤブラシ３は、保護フード２の側面部に、ワイヤブラシ３に設けられた溝３ａを勘合させ、ワイヤブラシ３に設けられたねじ穴３ｂに、ネジ３ｃを締め込むことによって保護フード２に固定されており、着脱可能となっている。さらに、ワイヤブラシ３の固定部３−１を非弾性体、ワイヤブラシ３の本体部３−２は弾性体で構成することで、研削作業時に工具本体１を傾斜させて使用するときにも、ワイヤブラシ３が被削材に合わせて変形するため、ワイヤ長さが短くても、粉塵、火花の飛散防止効果を得ることができる。
＜第２の実施形態＞
次に本発明の第２の実施形態に係る動力工具について図３、４を用いて説明する。図３は本実施形態に係る動力工具の上面図、図４はその正面図である。
【００１９】
本実施形態においては、動力工具本体１に設けられたサイドハンドル取付け穴１ａとスリーブ４ａ、ワイヤブラシ４に設けられた穴４ｂを合わせ、ネジ４ｃを締め付けることによってワイヤブラシ４を固定することができる。これによって、着脱を安全かつ容易に行うことが可能となる。
＜第３の実施形態＞
次に本発明の第３の実施形態に係る動力工具について図５乃至８を用いて説明する。図５は本実施形態に係る動力工具のブラシ使用時の上面図、図６はその正面図である。図７は本実施形態に係る動力工具のブラシ収納時の上面図、図８はその正面図である。
【００２０】
本実施形態においては、保護フード２にワイヤブラシ５の固定部５−１が固定されており、ワイヤブラシ５には１８０°左回転（半時計回り）可能な関節５ａがあり、研削作業時に工具本体１を傾斜させて使用する場合、関節５ａでワイヤブラシ５の本体部５−２が折れるのでワイヤブラシ５が浮いてしまうこともなく、粉塵、火花の飛散防止効果を得ることができる。
【００２１】
また、ワイヤブラシ５を必要としない、又は使用不可能な作業環境の場合は、図７、８に示したように関節５ａでワイヤブラシ５の本体部５−２を１８０°回動させることで保護フード２側に収納することができ、通常の動力工具として使用することが可能である。
＜第４の実施形態＞
次に本発明の第４の実施形態に係る動力工具について図９、１０を用いて説明する。図９は本実施形態に係る動力工具の上面図、図１０はその正面図である。
【００２２】
本実施形態においては、角材の半円リング６ａが固定金具６ｂによって保護フード２に取付けられており、角材の半円リング６ａをレールとし摺動可能にリング６ｃが複数個配設されている。リング６ｃにワイヤブラシ６が固定されているため、ワイヤブラシ６は角材の半円リング６ａ上を摺動可能である。ワイヤブラシ６の隅にブラシの重心６−１を持ってくることによって、研削作業時の先端工具７と被削材との接触面付近にブラシ重心６−１がリング６ａ上を移動することで、粉塵、火花の飛散方向に常にワイヤブラシ６が移動するため、効率良く粉塵、火花の飛散を防止することができる。
【００２３】
第１〜４の実施形態においては遮蔽物をワイヤブラシに限定して説明したが、遮蔽物の構成としては、他にゴム、スチールウール、不織布等を使用することも可能であり、ワイヤブラシに限定されるものではない。
【００２４】
また、第１〜４の実施形態において動力工具としてディスクグラインダを用いて説明したが、他の動力工具にも適用可能でありディスクグラインダに限定されるものではない。
【図面の簡単な説明】
【００２５】
【図１】本発明の第１の実施形態を示す上面図。
【図２】本発明の第１の実施形態を示す正面図。
【図３】本発明の第２の実施形態を示す上面図。
【図４】本発明の第２の実施形態を示す正面図。
【図５】本発明の第３の実施形態を示すワイヤブラシ使用時の上面図。
【図６】本発明の第３の実施形態を示すワイヤブラシ使用時の正面図。
【図７】本発明の第３の実施形態を示すワイヤブラシ収納時の上面図。
【図８】本発明の第３の実施形態を示すワイヤブラシ収納時の正面図。
【図９】本発明の第４の実施形態を示す上面図。
【図１０】本発明の第４の実施形態を示す正面図。
【符号の説明】
【００２６】
１：動力工具本体  ２：保護フード  ３、４、５、６：ワイヤブラシ  ７：先端工具
【図１】
2009196010.tif 000003
【図２】
2009196010.tif 000004
【図３】
2009196010.tif 000005
【図４】
2009196010.tif 000006
【図５】
2009196010.tif 000007
【図６】
2009196010.tif 000008
【図７】
2009196010.tif 000009
【図８】
2009196010.tif 000010
【図９】
2009196010.tif 000011
【図１０】
2009196010.tif 000012